(57)【要約】【課題】２つのトレーをそれぞれ別個に操作する構成の場合、操作が煩雑となる。【解決手段】記録装置は、被記録媒体に記録を行う装置本体部と、原稿を読み取る原稿読み取り機構部とを備えている。装置本体部は、開閉可能であって開くことにより被記録媒体を傾斜姿勢に支持し、閉じることにより原稿読み取り機構部の少なくとも一部を覆う被記録媒体支持トレイを備え、原稿読み取り機構部は、原稿を支持する原稿支持面を形成する原稿支持トレイを備え、原稿支持トレイは、展開状態と、展開状態より原稿支持面の面積が小さい非展開状態とを切り換え可能であるとともに、被記録媒体支持トレイの開閉に連動して、被記録媒体支持トレイが閉じた状態から開くと非展開状態から展開状態に切り換わり、被記録媒体支持トレイが開いた状態から閉じると展開状態から非展開状態に切り換わる。【選択図】図４
2020182030.tif 000002
【特許請求の範囲】
【請求項１】
被記録媒体に記録を行う記録手段を備えた装置本体部と、
原稿を読み取る読み取り手段及び前記読み取り手段に対し前記原稿を搬送する原稿搬送手段を有し、前記装置本体部の上部に設けられる原稿読み取り機構部と、を備え、
前記装置本体部は、開閉可能であって開くことにより前記被記録媒体を傾斜姿勢に支持し、閉じることにより前記原稿読み取り機構部の少なくとも一部を覆う被記録媒体支持トレイを備え、
前記原稿読み取り機構部は、前記原稿を支持する原稿支持面を形成する原稿支持トレイを備え、
前記原稿支持トレイは、展開状態と、前記展開状態より前記原稿支持面の面積が小さい非展開状態とを切り換え可能であるとともに、前記被記録媒体支持トレイの開閉に連動して、前記被記録媒体支持トレイが閉じた状態から開くと前記非展開状態から前記展開状態に切り換わり、前記被記録媒体支持トレイが開いた状態から閉じると前記展開状態から前記非展開状態に切り換わる、
ことを特徴とする記録装置。
【請求項２】
請求項１に記載の記録装置において、前記原稿読み取り機構部において前記原稿は前記装置本体部の前面から背面に向かう方向に搬送されつつ前記読み取り手段により読み取りが行われ、前記装置本体部の前面から背面に向かう方向に排出され、
前記装置本体部において前記被記録媒体は前記装置本体部の背面から前面に向かう方向に搬送されつつ前記記録手段により記録が行われ、前記装置本体部の前面から排出され、
前記被記録媒体支持トレイは、給送前の前記被記録媒体を支持し、
前記原稿支持トレイは、読み取りが行われて排出される前記原稿を支持する、
ことを特徴とする記録装置。
【請求項３】
請求項２に記載の記録装置において、前記被記録媒体支持トレイは、前記原稿読み取り機構部において前記原稿支持トレイに排出された前記原稿の一部を支持する、
ことを特徴とする記録装置。
【請求項４】
請求項２または請求項３に記載の記録装置において、前記原稿読み取り機構部及び前記被記録媒体支持トレイは、装置後方寄りに設けられる、
ことを特徴とする記録装置。
【請求項５】
請求項１から請求項４のいずれか一項に記載の記録装置において、前記装置本体部の上面が、前記原稿搬送手段により搬送される前記原稿を支持する、
ことを特徴とする記録装置。
【請求項６】
請求項１から請求項５のいずれか一項に記載の記録装置において、前記被記録媒体支持トレイは、前記原稿読み取り機構部の全域を覆う、
ことを特徴とする記録装置。
【請求項７】
請求項１から請求項６のいずれか一項に記載の記録装置において、前記原稿支持トレイは、押圧手段によって前記展開状態に向けて押圧され、
前記被記録媒体支持トレイが開いた状態から閉じる際に、前記展開状態にある前記原稿支持トレイに当接し、前記押圧手段の押圧力に抗して前記原稿支持トレイを前記非展開状態に向けて押し下げ、
前記被記録媒体支持トレイが閉じた状態から開く際に、前記原稿支持トレイが前記被記録媒体支持トレイとの当接を解除して前記押圧手段の押圧力により前記非展開状態から前記展開状態に向けて変位する、
ことを特徴とする記録装置。
【請求項８】
請求項１から請求項７のいずれか一項に記載の記録装置において、前記被記録媒体支持トレイ及び前記原稿支持トレイの少なくともいずれかがトレイ長さを伸縮可能に構成される、
ことを特徴とする記録装置。
【発明の詳細な説明】
【技術分野】
【０００１】
本発明は、原稿を読み取る原稿読み取り機構部を備えた記録装置に関する。
【背景技術】
【０００２】
媒体に記録を行う記録機能に加え、原稿を読み取る原稿読み取り機能を備えた記録装置は従来から知られており、複合機とも呼ばれることがある。この様な記録装置の一例が、特許文献１に示されている。
【先行技術文献】
【特許文献】
【０００３】
【特許文献１】特開２００２−２４７２８４号公報
【発明の概要】
【発明が解決しようとする課題】
【０００４】
特許文献１に示された複合機の一例である画像形成装置は、記録装置としての記録系と、原稿上の原稿画像を読み取るための読取系とを備えており、記録系は、給紙前の記録シートを傾斜姿勢で支持する記録紙補助トレーを有し、読取系は、読み取り前の原稿を傾斜姿勢で支持する原稿補助トレーを有している。  
特許文献１記載の画像形成装置において、記録補助トレーは引き出し可能に構成されているが、原稿補助トレーは引き出し可能には構成されていない。装置の非使用時の設置スペース削減の観点では、双方のトレーが展開状態と非展開状態とを切り換え可能に構成されていることが好ましいが、この様な構成の場合２つのトレーをそれぞれ操作する必要があり、操作が煩雑となる。
【課題を解決するための手段】
【０００５】
上記課題を解決する本発明の記録装置は、被記録媒体に記録を行う記録手段を備えた装置本体部と、原稿を読み取る読み取り手段及び前記読み取り手段に対し前記原稿を搬送する原稿搬送手段を有し、前記装置本体部の上部に設けられる原稿読み取り機構部と、を備え、前記装置本体部は、開閉可能であって開くことにより前記被記録媒体を傾斜姿勢に支持し、閉じることにより前記原稿読み取り機構部の少なくとも一部を覆う被記録媒体支持トレイを備え、前記原稿読み取り機構部は、前記原稿を支持する原稿支持面を形成する原稿支持トレイを備え、前記原稿支持トレイは、展開状態と、前記展開状態より前記原稿支持面の面積が小さい非展開状態とを切り換え可能であるとともに、前記被記録媒体支持トレイの開閉に連動して、前記被記録媒体支持トレイが閉じた状態から開くと前記非展開状態から前記展開状態に切り換わり、前記被記録媒体支持トレイが開いた状態から閉じると前記展開状態から前記非展開状態に切り換わることを特徴とする。
【図面の簡単な説明】
【０００６】
【図１】開閉カバーが閉じた状態のプリンターの外観斜視図。
【図２】開閉カバーが開いた状態のプリンターの外観斜視図。
【図３】開閉カバーが閉じた状態のプリンターの側断面図。
【図４】開閉カバーが開く途中または閉じる途中のプリンターの側断面図。
【図５】開閉カバーが開いた状態のプリンターの側断面図。
【図６】図５の部分拡大図。
【図７】非展開状態の排出トレイを背面側から見た斜視図。
【図８】展開状態の排出トレイを背面側から見た斜視図。
【図９】保持フレームに形成されたガイド部の斜視図。
【発明を実施するための形態】
【０００７】
以下、本発明について概略的に説明する。  
第１の態様に係る記録装置は、被記録媒体に記録を行う記録手段を備えた装置本体部と、原稿を読み取る読み取り手段及び前記読み取り手段に対し前記原稿を搬送する原稿搬送手段を有し、前記装置本体部の上部に設けられる原稿読み取り機構部と、を備え、前記装置本体部は、開閉可能であって開くことにより前記被記録媒体を傾斜姿勢に支持し、閉じることにより前記原稿読み取り機構部の少なくとも一部を覆う被記録媒体支持トレイを備え、前記原稿読み取り機構部は、前記原稿を支持する原稿支持面を形成する原稿支持トレイを備え、前記原稿支持トレイは、展開状態と、前記展開状態より前記原稿支持面の面積が小さい非展開状態とを切り換え可能であるとともに、前記被記録媒体支持トレイの開閉に連動して、前記被記録媒体支持トレイが閉じた状態から開くと前記非展開状態から前記展開状態に切り換わり、前記被記録媒体支持トレイが開いた状態から閉じると前記展開状態から前記非展開状態に切り換わることを特徴とする。
【０００８】
本態様によれば、前記装置本体部が備える前記被記録媒体支持トレイは開閉可能であり、また前記原稿読み取り機構部が備える前記原稿支持トレイは前記展開状態と前記非展開状態とを切り換え可能であるので、装置の非使用時における設置スペース削減に寄与する。そして前記原稿支持トレイは、前記被記録媒体支持トレイの開閉に連動して、前記被記録媒体支持トレイが閉じた状態から開くと前記非展開状態から前記展開状態に切り換わり、前記被記録媒体支持トレイが開いた状態から閉じると前記展開状態から前記非展開状態に切り換わるので、前記原稿支持トレイを独自に操作する必要がなく、使い勝手の良い装置を提供することができる。
【０００９】
第２の態様は、第１の態様において、前記原稿読み取り機構部において前記原稿は前記装置本体部の前面から背面に向かう方向に搬送されつつ前記読み取り手段により読み取りが行われ、前記装置本体部の前面から背面に向かう方向に排出され、前記装置本体部において前記被記録媒体は前記装置本体部の背面から前面に向かう方向に搬送されつつ前記記録手段により記録が行われ、前記装置本体部の前面から排出され、前記被記録媒体支持トレイは、給送前の前記被記録媒体を支持し、前記原稿支持トレイは、読み取りが行われて排出される前記原稿を支持することを特徴とする。  
本態様によれば、前記装置本体部の前方から各種操作を行う際の操作性が向上する。
【００１０】
第３の態様は、第２の態様において、前記被記録媒体支持トレイは、前記原稿読み取り機構部において前記原稿支持トレイに排出された前記原稿の一部を支持することを特徴とする。
【００１１】
本態様によれば、前記被記録媒体支持トレイは、前記原稿読み取り機構部において前記原稿支持トレイに排出された前記原稿の一部を支持するので、前記原稿支持トレイの大型化を抑制しつつ、排出された前記原稿を適切に支持できる。
【００１２】
第４の態様は、第２のまたは第３の態様において、前記原稿読み取り機構部及び前記被記録媒体支持トレイは、装置後方寄りに設けられることを特徴とする。  
本態様によれば、前記原稿読み取り機構部及び前記被記録媒体支持トレイが、装置後方寄りに設けられる構成において、上述した第２のまたは第３の態様の作用効果が得られる。
【００１３】
第５の態様は、第１から第４の態様のいずれかにおいて、前記装置本体部の上面が、前記原稿搬送手段により搬送される前記原稿を支持することを特徴とする。  
本態様によれば、前記装置本体部の上面が、前記原稿搬送手段により搬送される前記原稿を支持するので、装置の低コスト化及び小型化を図ることができる。
【００１４】
第６の態様は、第１から第５の態様のいずれかにおいて、前記被記録媒体支持トレイは、前記原稿読み取り機構部の全域を覆うことを特徴とする。  
本態様によれば、前記被記録媒体支持トレイは、前記原稿読み取り機構部の全域を覆うので、前記原稿読み取り機構部内への塵埃等の侵入をより確実に抑制できる。
【００１５】
第７の態様は、第１から第６の態様のいずれかにおいて、前記原稿支持トレイは、押圧手段によって前記展開状態に向けて押圧され、前記被記録媒体支持トレイが開いた状態から閉じる際に、前記展開状態にある前記原稿支持トレイに当接し、前記押圧手段の押圧力に抗して前記原稿支持トレイを前記非展開状態に向けて押し下げ、前記被記録媒体支持トレイが閉じた状態から開く際に、前記原稿支持トレイが前記被記録媒体支持トレイとの当接を解除して前記押圧手段の押圧力により前記非展開状態から前記展開状態に向けて変位することを特徴とする。  
本態様によれば、前記被記録媒体支持トレイの開閉に連動して前記原稿支持トレイが変位する構成を、構造簡単にして低コストに構成できる。
【００１６】
第８の態様は、第１から第７の態様のいずれかにおいて、前記被記録媒体支持トレイ及び前記原稿支持トレイの少なくともいずれかがトレイ長さを伸縮可能に構成されることを特徴とする。  
本態様によれば、前記被記録媒体支持トレイ及び前記原稿支持トレイの少なくともいずれかがトレイ長さを伸縮可能に構成されるので、より適切に前記被記録媒体或いは前記原稿を支持できる。
【００１７】
以下、本発明を具体的に説明する。  
尚、各図においてＸ軸方向は装置幅方向であり、−Ｘ方向は装置前面をユーザーと対面させた際にユーザーから見て右方向となり、また＋Ｘ方向は同左方向となる。またＸ軸方向は、後述する装置本体部２において記録ヘッド２２と対向する領域での用紙搬送方向と交差する方向、即ち用紙幅方向となる。  
Ｙ軸方向は装置奥行き方向であり、＋Ｙ方向は装置背面から前面に向かう方向であり、−Ｙ方向は装置前面から背面に向かう方向である。本実施形態において装置の周囲を構成する複数の側面のうちチルトパネル６が設けられた側面が装置前面となり、その反対の側面が装置背面となる。またＹ軸方向のうち＋Ｙ方向は、後述する装置本体部２において記録ヘッド２２と対向する領域での用紙搬送方向となる。  
Ｚ軸方向は鉛直方向であり、＋Ｚ方向は鉛直上方向、−Ｚ方向は鉛直下方向となる。
【００１８】
図１及び図２において記録装置の一例であるインクジェットプリンター１は、装置本体部２の上部に、原稿を読み取る読み取り機構部３を備えて成る、所謂複合機である。以下、インクジェットプリンター１は、プリンター１と略称する。  
装置本体部２は、被記録媒体の一例である記録用紙に記録を行う機能を有し、読み取り機構部３は、原稿を読み取る機能を有する。
【００１９】
装置本体部２は、装置前面に、プリンター１の電源オンオフ操作を行う為の電源ボタン８及びその他各種操作を行う為の操作部７を有するチルトパネル６を備えている。チルトパネル６は、回転軸６ａ（図３参照）を中心に回転することで、チルト可能となっている。  
また装置前面には前面カバー９を備えており、前面カバー９は回転軸９ａ（図３参照）を中心に回転することで、図１及び図２に示す様に閉じた状態と、記録が行われて排出される記録用紙の排出経路を開放する開いた状態（不図示）と、を取り得る。
【００２０】
装置本体部２は、上面の前方側が開閉カバー４によって構成されている。開閉カバー４は、不図示の回転軸を中心に回転することで、図１及び図２に示す様に閉じた状態と、装置本体部２の内部を露呈させる開いた状態（不図示）と、を取り得る。開閉カバー４を開くことで、例えば詰まった記録用紙の除去や、後述するインクタンク２１へのインクの補充が実行可能となる。  
開閉カバー４には前方覆い部４ｂが一体に設けられている。開閉カバー４の上面４ａと前方覆い部４ｂはほぼ直角を成しており、開閉カバー４が閉じ且つチルトパネル６が閉じた状態では、図１及び図２に示すように前方覆い部４ｂの表面とチルトパネル６の表面とが面一となる。
【００２１】
チルトパネル６及び前方覆い部４ｂの下には前面カバー９が開閉可能に設けられており、図１及び図２は前面カバー９が閉じた状態を示している。図示するように前面カバー９が閉じた状態では、前面カバー９の表面、前方覆い部４ｂの表面、チルトパネル６の表面、のこれらが面一となり、垂直に沿った面を形成する。  
前面カバー９を開くことで、装置前方に向けて排出される記録用紙を受ける排出トレイ２９（図３）を引き出すことができる。
【００２２】
装置上面における後方側には、被記録媒体支持トレイとしての開閉カバー１０が設けられている。開閉カバー１０は、回転軸１０ｃ（図３、図４、図５参照）を中心に回転することで、図１及び図３に示す閉じた状態と、図２及び図４に示す開いた状態とを取り得る。  
開閉カバー１０を開くと、図２に示す様に読み取り機構部３が露呈し、原稿の読み取りが実行可能となる。また開閉カバー１０を開くと、後述する支持部材１２への記録用紙のセットが可能となる。図２において矢印Ａは、記録用紙のセット方向を示している。
【００２３】
以下、図３〜図５を参照しつつ、装置本体部２における記録用紙の搬送経路について説明する。  
装置後方には支持部材１２が設けられており、給送前の記録用紙は、支持部材１２と、図５に示す様に開いた状態の開閉カバー１０の裏面で構成される用紙支持面１０ａとによって傾斜姿勢で支持される。  
支持部材１２は不図示の揺動軸を中心に揺動可能に構成されており、揺動することで、支持した記録用紙を給送ローラー１３に対して進退させる。
【００２４】
給送ローラー１３は不図示のモーターにより回転駆動され、回転することにより、記録用紙を下流に送り出す。給送ローラー１３と対向する位置には回転抵抗が付与された分離ローラー１４が設けられており、この分離ローラー１４が給送ローラー１３との間でニップ領域を形成することにより、記録用紙の重送が防止される。  
尚、図５において符号Ｐｄで示す二点鎖線は、給送ローラー１３により送り出され、搬送される記録用紙の搬送軌跡を示している。
【００２５】
給送ローラー１３により送り出された記録用紙は、搬送ローラー対１７に到達する。搬送ローラー対１７は、不図示の駆動源により駆動される駆動ローラー１８と、従動回転する従動ローラー１９とで構成されており、記録用紙はこの両ローラーによりニップされ、記録ヘッド２２と対向する領域、即ち記録領域に送られ、記録が行われる。
【００２６】
記録ヘッド２２を備えるキャリッジ２０は、Ｘ軸方向に延びるメインフレーム２４にガイドされつつ、不図示の動力源によってＸ軸方向に往復動する。記録ヘッド２２は、キャリッジ２０の移動動作に伴い、記録用紙に対してインクを吐出する。  
キャリッジ２０にはインクタンク２１が搭載されており、このインクタンク２１から記録ヘッド２２へとインクが供給される。  
尚、本実施形態においてインクタンク２１は不図示のインク供給口を備えており、このインク供給口からインクタンク２１へのインクの補充が可能に構成されている。
【００２７】
メインフレーム２４は金属板材により形成されており、側面視において水平方向と交差するフレーム面を形成する鉛直部２４ａと、鉛直部２４ａの上部が折り曲げられることで形成された第１水平部２４ｂと、鉛直部２４ａの下部が折り曲げられることで形成された第２水平部２４ｃと、を備えている。鉛直部２４ａは、本実施形態では垂直面に沿っている。第１水平部２４ｂ及び第２水平部２４ｃは、本実施形態では水平面に沿っている。  
メインフレーム２４は、第１水平部２４ｂの＋Ｙ方向端部が−Ｚ方向に折り曲げられており、また第２水平部２４ｃの＋Ｙ方向端部が＋Ｚ方向に折り曲げられ、更にその上端部が−Ｙ方向に僅かに折り曲げられており、側面視において全体的に矩形の空間が形成された状態となっている。そしてこの空間にキャリッジ２０の一部が入り込み、この入り込んだ部分がメインフレーム２４によってＸ軸方向にガイドされる。
【００２８】
記録ヘッド２２と対向する位置には支持リブ３１が設けられており、記録ヘッド２２により記録の行われる記録用紙は、支持リブ３１によって支持される。  
支持部材１２に対して搬送方向下流には、図３に示す様に記録の行われた記録用紙を装置前方に向けて排出する排出ローラー対２６が設けられている。排出ローラー対２６は、不図示の駆動源により駆動される駆動ローラー２７と、従動回転する従動ローラー２８とで構成されており、記録用紙はこの両ローラーによりニップされ、装置前方に向けて排出され、引き出された状態の排出トレイ２９によって支持される。
【００２９】
以上が装置本体部２の構成であり、以下、装置本体部２の上部に設けられた読み取り機構部３について図６を参照しつつ説明する。  
読み取り機構部３は、入口トレイ４０と、上部ユニット３６と、下部ユニット３７と、排出トレイ５３と、によって全体が構成されている。
【００３０】
読み取りを行う原稿は、その先端側が入口トレイ４０により支持され、後端側が開閉カバー４（図２参照）の上面４ａ（図２参照）に支持される。図２において矢印Ｂは、読み取り原稿のセット方向を示している。また図２において符号Ｇｐは、入口トレイ４０と、装置本体部２の上面４ａとで支持される、セットされた原稿を示している。また図２において符号３８ａ、３８ｂは、セットされた原稿の側端をガイドするエッジガイドである。  
図６に戻り、読み取り機構部３における原稿読み取り時の際の原稿搬送方向は概ね−Ｙ方向であり、入口トレイ４０に対し原稿搬送方向の下流には搬送ローラー対４１が設けられている。搬送ローラー対４１は、不図示の駆動源により駆動される駆動ローラー４２と、従動回転する従動ローラー４３とで構成されており、原稿はこの両ローラーによりニップされ、原稿搬送方向の下流へと送られる。
【００３１】
搬送ローラー対４１に対し原稿搬送方向の下流には読み取りガラス５８が設けられており、この読み取りガラス５８の下側に読み取り手段としてのセンサーモジュール５５が設けられている。センサーモジュール５５はＸ軸方向に延設され、押圧ばね５７により読み取りラス５８の下側から読み取りガラス５８の下面に押し当たっている。センサーモジュール５５には光学縮小方式（CCD方式）や密着センサー方式（CIS方式）を採用でき、本実施形態では密着センサー方式（CIS方式）を採用する。符号５６は、受光素子（不図示）及び発光素子（不図示）が設けられた回路基板である。  
センサーモジュール５５は、保持フレーム５４によって保持されており、保持フレーム５４は、下部ユニット３７の基体を構成し、また、下部ユニット３７の最下面を形成する。
【００３２】
読み取りガラス５８の上には押さえ部材４５が設けられている。押さえ部材４５は、圧縮ばね４６によって読み取りガラス５８に向けて押圧されている。搬送ローラー対４１によって搬送される原稿は、押さえ部材４５と読み取りガラス５８とで挟まれた状態で、センサーモジュール５５によって読み取られる。  
従動ローラー４３、押さえ部材４５、圧縮ばね４６、従動ローラー５０、のこれらは、上部ユニット３６の基体を構成する保持フレーム５１に設けられる。
【００３３】
読み取りガラス５８の下流には、読み取りの行われた原稿を排出する排出ローラー対４８が設けられている。排出ローラー対４８は、不図示の駆動源により駆動される駆動ローラー４９と、従動回転する従動ローラー５０とで構成されており、読み取りの行われた原稿はこの両ローラーによりニップされ、排出トレイ５３に向けて排出される。符号Ｇｒは、セットされ、読み取りが行われ、排出される原稿の通過軌跡を示している。
【００３４】
原稿支持トレイとしての排出トレイ５３は、斜め上下方向にスライド変位することで、図３に示す非展開状態と図５及び図２に示す展開状態とを切り換え可能に設けられており、また更にサブトレイ５３ａ（図２参照）を展開可能に構成されている。サブトレイ５３ａは、回転軸５３ｃを中心に図５の時計回り方向及び反時計回り方向に回転することで、図５において実線で示す展開状態と、２点鎖線及び符号５３ａ＿１で示す収納状態と、を取り得る。  
尚、長尺の原稿は、排出されるとその先端が排出トレイ５３を乗り越え、排出トレイ５３の背後に位置する開閉カバー１０の用紙支持面１０ａによって支持される。  
図６において符号Ｇｈで示す実線は、排出トレイ５３によって支持される原稿を示している。また、符号５３ｂは、原稿支持面である。
【００３５】
以上説明した従動ローラー４３、押さえ部材４５、圧縮ばね４６、従動ローラー５０、保持フレーム５１、のこれらは、上部ユニット３６を構成する。上部ユニット３６は、不図示の回転軸を中心にして下部ユニット３７に対して回転可能に設けられており、開くことにより、搬送ローラー対４１及び排出ローラー対４８による原稿ニップ状態が解除できる。  
また、以上説明した駆動ローラー４２、センサーモジュール５５、駆動ローラー４９、保持フレーム５４、のこれらは、下部ユニット３７を構成する。
【００３６】
そして本実施形態では、読み取り機構部３の一部が、Ｙ軸方向において給送ローラー１３とオーバーラップするととともにＺ軸方向においてメインフレーム２４とオーバーラップする。  
図６において位置Ｙ１は、給送ローラー１３の外周面の−Ｙ方向端部位置であり、位置Ｙ２は給送ローラー１３の外周面の＋Ｙ方向端部位置である。また、位置Ｚ１はメインフレーム２４における、＋Ｚ方向の最も高い位置であり、より具体的には第１水平部２４ｂの上面の位置である。図６から明かな様に、Ｙ軸方向において位置Ｙ１と位置Ｙ２との間に、読み取り機構部３の、特に保持フレーム５４の一部が配置されており、また、センサーモジュール５５の全体が配置されている。また、読み取りガラス５８の全体も位置Ｙ１と位置Ｙ２との間に配置されている。  
また、Ｚ軸方向において位置Ｚ１より下に、読み取り機構部３の、特に保持フレーム５４の一部が配置されており、また、センサーモジュール５５を構成する回路基板５６が配置されている。
【００３７】
本実施形態において保持フレーム５４の一部が、Ｙ軸方向において給送ローラー１３とオーバーラップするとともに、Ｚ軸方向においてメインフレーム２４とオーバーラップしている。  
この様な構成により、プリンター１全体のＹ軸方向寸法を抑制できるとともに、Ｚ軸方向寸法も抑制でき、小型化の要請に応えることができる。  
尚、本明細書においてＹ軸方向において２つの部位がオーバーラップするとは、Ｙ軸方向において２つの部位が同じ領域に位置することを意味する。同様にＺ軸方向において２つの部位がオーバーラップするとは、Ｚ軸方向において２つの部位が同じ領域に位置することを意味する。  
見方を変えれば、Ｙ軸方向において２つの部位がオーバーラップするとは、Ｚ軸方向から見て２つの部位が重なっていることを意味する。また、Ｚ軸方向において２つの部位がオーバーラップするとは、Ｙ軸方向から見て２つの部位が重なっていることを意味する。
【００３８】
また本実施形態では、Ｚ軸方向において保持フレーム５４の一部が、キャリッジ２０において＋Ｚ方向の最も高い位置である位置Ｚ２よりも下に位置している。このことにより、装置全体のＺ軸方向寸法がより一層抑えられる。
【００３９】
続いて図３〜図５、図７〜図９を参照しつつ、排出トレイ５３について詳説する。排出トレイ５３は、図７〜図９に示す様に保持フレーム５４に形成されたガイド部５４ａ、５４ｂによって保持され、且つ、斜め上下方向にガイドされる。  
保持フレーム５４と排出トレイ５３との間には、押圧手段として２つのコイルばね６０が設けられており、コイルばね６０によって、排出トレイ５３が上方向に突出する様に押圧されている。尚、本実施形態においてコイルばね６０は引っ張りばねである。従って排出トレイ５３に何らの外力が作用しない状態では、図７に示す様に排出トレイ５３は展開状態を維持する。尚、図８は排出トレイ５３に外力が作用して非展開状態に維持された様子を示している。
【００４０】
排出トレイ５３は開閉カバー１０の押圧面１０ｂによって押圧可能な位置に設けられており、開閉カバー１０が閉じた状態では、図３に示す様に押圧面１０ｂが排出トレイ５３を押し下げていることで、排出トレイ５３は非展開状態を維持している。  
この状態から開閉カバー１０を開くと、図３から図４、そして図４から図５への変化に示す様に、排出トレイ５３は開閉カバー１０による拘束が解かれ、コイルばね６０のばね力によって図４の矢印ｄで示す様に斜め上方に変位し、即ち非展開状態から展開状態に切り換わる。
【００４１】
上記とは逆に、開閉カバー１０が開き、且つ排出トレイ５３が展開状態にある図５の状態から、開閉カバー１０を閉じると、排出トレイ５３は開閉カバー１０の押圧面１０ｂによって図４の矢印ｅで示す様に斜め下方に押し下げられ、展開状態から非展開状態に切り換わる。  
尚、本実施形態では排出トレイ５３に設けられたサブトレイ５３ａは、ユーザー操作により回転させ、展開させる構成であるが、例えばねじりばねによるばね力によって自動で展開する様に構成しても良い。またサブトレイ５３ａは、回転動作によって展開する構成ではなく、排出トレイ５３から引き出されることで展開する構成であっても良い。
【００４２】
以上説明した様に、装置本体部２は、開閉可能であって開くことにより記録用紙を傾斜姿勢に支持し、閉じることにより読み取り機構部３の少なくとも一部を覆う開閉カバー１０を備え、読み取り機構部３は、原稿を支持する原稿支持面５３ｂを形成する排出トレイ５３を備えている。排出トレイ５３は、図５に示す展開状態と、展開状態より原稿支持面５３ｂの面積が小さい、図３に示す非展開状態とを切り換え可能であるとともに、開閉カバー１０の開閉に連動して、開閉カバー１０が閉じた状態から開くと非展開状態から展開状態に切り換わり、開閉カバー１０が開いた状態から閉じると展開状態から非展開状態に切り換わる。従って排出トレイ５３を独自に操作する必要がなく、使い勝手の良い装置を提供することができる。
【００４３】
また読み取り機構部３において搬送ローラー対４１は、装置本体部２の前面から背面に向かう方向、つまり−Ｙ方向に原稿を搬送し、読み取りの行われた原稿は排出ローラー対４８によって−Ｙ方向に排出される。そして装置本体部２において記録用紙は装置本体部２の背面から前面に向かう方向、つまり＋Ｙ方向に搬送されつつ記録ヘッド２２により記録が行われ、装置前面から前方つまり＋Ｙ方向に向けて排出される構成である。このことにより、装置本体部２の前方から各種操作を行う際の操作性が向上する。尚、ここでの各種操作とは、例えば読み取り機構部３への原稿のセット、読み取りが行われて排出された原稿の取り出し、装置本体部２への記録用紙のセット、記録が行われて排出された記録用紙の取り出し、などが挙げられる。
【００４４】
また、本実施形態において開閉カバー１０は、原稿のサイズによっては、読み取り機構部３において排出トレイ５３に排出された原稿の一部を支持するので、排出トレイ５３の大型化を抑制しつつ、排出された原稿を適切に支持できる。
【００４５】
また本実施形態において読み取り機構部３及び開閉カバー１０は、装置後方寄りに設けられる。これにより、給送前の原稿を支持する領域、具体的には入口トレイ４０と開閉カバー４の上面４ａによる原稿支持領域を確保でき、給送前の原稿を安定して支持できる。  
尚、装置後方寄りとは、例えば読み取り機構部３の場合、Ｙ軸方向における読み取り機構部３の中心位置が、Ｙ軸方向における装置全体の中心位置より後方に位置することを意味する。本実施形態では、開閉カバー１０の全体及び読み取り機構部３の全体が、Ｙ軸方向における装置全体の中心位置より後方に位置している。
【００４６】
また図２に示す様に装置本体部２の上面４ａが、入口トレイ４０による原稿支持面を装置前方である＋Ｙ方向に延長する延長面を構成し、搬送ローラー対４１により搬送される原稿を支持する。このことにより、装置の低コスト化及び小型化を図ることができる。
【００４７】
また本実施形態において開閉カバー１０は、読み取り機構部３の全域を覆うので、読み取り機構部３内への塵埃等の侵入をより確実に抑制できる。
【００４８】
また本実施形態において排出トレイ５３は、コイルばね６０によって展開状態に向けて押圧され、開閉カバー１０が開いた状態から閉じる際に、展開状態にある排出トレイ５３に開閉カバー１０が当接し、コイルばね６０のばね力に抗して排出トレイ５３を非展開状態に向けて押し下げる。そして開閉カバー１０が閉じた状態から開く際に、排出トレイ５３が開閉カバー１０との当接を解除してコイルばね６０のばね力により非展開状態から展開状態に向けて変位する。この様な構成により、開閉カバー１０の開閉に連動して排出トレイ５３が変位する構成を、構造簡単にして低コストに構成できる。
【００４９】
また本実施形態では、排出トレイ５３がサブトレイ５３ａを備えていることにより、トレイ長さを伸縮可能となっている。これにより、より適切に排出原稿を支持できる。尚、排出トレイ５３に加え、或いは排出トレイ５３に代えて、開閉カバー１０も長さを伸縮可能に構成しても良い。
【００５０】
尚、上記実施形態では、被記録媒体支持トレイとしての開閉カバー１０は、給送前の記録用紙を支持するトレイであるが、被記録媒体支持トレイは、記録が行われて排出される記録用紙を受けるトレイとして構成されていても良い。  
また、上記実施形態では、原稿支持トレイとしての排出トレイ５３は、読み取りが行われて排出される原稿を支持するトレイであるが、給送前の原稿を支持するトレイとして構成されていても良い。
【００５１】
また本発明は上記において説明した各実施形態に限定されることなく、特許請求の範囲に記載した発明の範囲内で、種々の変形が可能であり、それらも本発明の範囲内に含まれるものであることは言うまでもない。
【符号の説明】
【００５２】
１…インクジェットプリンター、２…装置本体部、３…読み取り機構部、４…開閉カバー、４ａ…上面、４ｂ…前方覆い部、６…チルトパネル、７…操作部、８…電源ボタン、９…前面カバー、１０…開閉カバー、１０ａ…用紙支持面、１０ｂ…押圧面、１０ｃ…回転軸、１２…支持部材、１３…給送ローラー、１４…分離ローラー、１７…搬送ローラー対、１８…駆動ローラー、１９…従動ローラー、２０…キャリッジ、２１…インクタンク、２２…記録ヘッド、２４…メインフレーム、２４ａ…鉛直部、２４ｂ…第１水平部、２４ｃ…第２水平部、２６…排出ローラー対、２７…駆動ローラー、２８…従動ローラー、２９…排出トレイ、３６…上部ユニット、３７…下部ユニット、３８ａ、３８ｂ…エッジガイド、４０…入口トレイ、４１…搬送ローラー対、４２…駆動ローラー、４３…従動ローラー、４５…押さえ部材、４６…圧縮ばね、４８…排出ローラー対、４９…駆動ローラー、５０…従動ローラー、５１…保持フレーム、５３…排出トレイ、５３ａ…サブトレイ、５３ｂ…原稿支持面、５４…保持フレーム、５４ａ…ガイド部、５５…センサーモジュール、５６…回路基板、５７…押圧ばね、５８…読み取りガラス、６０…コイルばね
【図１】
2020182030.tif 000003
【図２】
2020182030.tif 000004
【図３】
2020182030.tif 000005
【図４】
2020182030.tif 000006
【図５】
2020182030.tif 000007
【図６】
2020182030.tif 000008
【図７】
2020182030.tif 000009
【図８】
2020182030.tif 000010
【図９】
2020182030.tif 000011